(57)【要約】【課題】撮影中にフレームレートを切り替えて記録された動画ファイルに関して、直感的な操作で簡潔に所望の動画再生を行うことができるようにする。【解決手段】デジタルカメラ１００のＣＰＵ１は、撮影記録された画像ファイルが動画ファイルであるか否かを画像ファイルの属性情報から判別し、画像ファイルが動画ファイルであるときは、動画アイコンを画像ファイルのサムネイル画像に表示する。次いで、画像ファイルに高フレームレート区間があるか否かを画像ファイルの属性情報から判別し、画像ファイルに高フレームレート区間があるときは、高フレームレート区間ありアイコンを画像ファイルのサムネイル画像に表示する。【選択図】図５
2011066938.tif 000002
【特許請求の範囲】
【請求項１】
撮影記録された画像ファイルを表示装置に再生表示する表示手段と、
前記記録された画像ファイルから動画ファイルと静止画ファイルとを識別する第１の識別手段と、
前記識別された動画ファイルから所定のフレームレートで記録された第１の動画ファイル部と前記所定のフレームレートと異なるフレームレートで記録された区間を有する第２の動画ファイル部とを識別する第２の識別手段とを有し、
前記表示手段は、前記第２の識別手段によって識別された前記第２の動画ファイル部の再生表示中に、所定の情報を表示することを特徴とする画像記録装置。
【発明の詳細な説明】
【技術分野】
【０００１】
本発明は、撮影中にフレームレートを切り替えて記録された動画ファイルの再生を行う画像記録装置に関する。
【背景技術】
【０００２】
従来、動画の撮影、記録及び再生を行う画像記録装置において、例えば、マルチアングル動画を含む記録されたタイトル（動画ファイル）を再生する場合、ユーザは、表示部においてアングルマークが表示されたタイトルを選択する。さらに、ユーザは、タイトル再生中において、このアングルマークの点滅により、マルチアングル動画の記録部分に差し掛かったことを確認できる（例えば、特許文献１参照）。
【先行技術文献】
【特許文献】
【０００３】
【特許文献１】特開平１０−１５５１３８号公報
【発明の概要】
【発明が解決しようとする課題】
【０００４】
しかしながら、従来の技術では、撮影中にフレームレートを切り替えて記録された動画ファイルに関して、ユーザが直感的な操作で簡潔に所望の動画再生を行うことができなかった。具体的には、高フレームレート記録区間の有無の確認、当該記録区間部分の再生、高フレームレート再生とスロー再生との切替え等を、ユーザが行うことができなかった。
【０００５】
そこで、本発明は、ユーザが、撮影中にフレームレートを切り替えて記録された動画ファイルに関して、直感的な操作で簡潔に所望の動画再生を行うことができる画像記録装置を提供することを目的とする。
【課題を解決するための手段】
【０００６】
本発明に係る画像記録装置は、撮影記録された画像ファイルを表示装置に再生表示する表示手段と、前記記録された画像ファイルから動画ファイルと静止画ファイルとを識別する第１の識別手段と、前記識別された動画ファイルから所定のフレームレートで記録された第１の動画ファイル部と前記所定のフレームレートと異なるフレームレートで記録された区間を有する第２の動画ファイル部とを識別する第２の識別手段とを有し、前記表示手段は、前記第２の識別手段によって識別された前記第２の動画ファイル部の再生表示中に、所定の情報を表示することを特徴とする。
【発明の効果】
【０００７】
本発明によれば、ユーザが、撮影中にフレームレートを切り替えて記録された動画ファイルに関して、直感的な操作で簡潔に所望の動画再生を行うことができる。
【図面の簡単な説明】
【０００８】
【図１】本発明の一実施の形態における画像記録装置であるデジタルカメラの構成を概略的に示すブロック図である。
【図２】図１のデジタルカメラの背面図である。
【図３】図２における表示部に表示されるマルチ表示の一例を示す図である。
【図４】図２における表示部に表示されるシングル表示の一例を示す図である。
【図５】アイコン表示処理の手順を示すフローチャートである。
【図６】図６は、図２における表示部に表示される動画再生状態の一例を示す図であり、（Ａ）は、高フレームレート区間以外の再生状態を示し、（Ｂ）は、高フレームレート区間の再生状態を示す。
【図７】図２における表示部に表示される動画再生状態の一例を示す図である。
【図８】図２における表示部に表示される動画再生状態の一例を示す図である。
【図９】図２における表示部に表示される動画再生状態の一例を示す図である。
【図１０】再生モードのモード間遷移を説明する図である。
【図１１】再生モードにおける高フレームレート区間の区間再生モードのモード間遷移を説明する図である。
【図１２】図２における表示部に表示されるメニュー画面を説明する図である。
【図１３】図１のデジタルカメラによって実行されるスライドショー表示処理の手順を示すフローチャートである。
【発明を実施するための形態】
【０００９】
以下、本発明の実施の形態を図面を参照しながら詳述する。
【００１０】
図１は、本発明の一実施の形態における画像記録装置であるデジタルカメラ１００の構成を概略的に示すブロック図である。なお、図１に示す画像記録装置は、デジタルカメラに限るものではなく、デジタルビデオカメラ、デジタルカメラ一体型携帯電話等の撮像装置で構成することもできる。
【００１１】
図１において、デジタルカメラ１００は、ＣＰＵ（Ｃｅｎｔｒａｌ  Ｐｒｏｃｅｓｓｉｎｇ  Ｕｎｉｔ）１、メモリ２、表示部３、操作部４、撮像部５、画像処理部６、圧縮処理部７及び記憶媒体８を有し、これらはシステムバスを介して互いに接続されている。デジタルカメラ１００は、後述する図５のアイコン表示処理及び図１３のスライドショー表示処理を実行する。
【００１２】
ＣＰＵ１は、メモリ２上に記憶されたプログラムを実行することにより、表示部３、操作部４、撮像部５、画像処理部６、圧縮処理部７及び記憶媒体８の撮影動作に必要な所定の制御を行う。メモリ２は、ＣＰＵ１で実行されるプログラム及びプログラムの実行に必要なデータを保持する。
【００１３】
表示部３は、液晶表示器等で構成され、撮影した画像の再生表示、各種撮影条件の設定等の操作メニューの表示等を行う。操作部４は、ボタン、十字キー、ダイヤル等の操作部材で構成され、ユーザによって各種撮影条件の設定や撮影動作及び各種モード設定等が行われる。
【００１４】
撮像部５は、レンズ部、撮像素子によって構成され、被写体の光学像を映像信号に変換して、画像処理部６に供給する。撮像素子には、ＣＣＤセンサ等を使用することができる。さらに、撮像部５は、シャッタ機構、絞り機構を有し、光量の調節を行う。画像処理部６は、撮像部５から受信した映像信号に対して所定の信号処理を施すことで、オートフォーカス（ＡＦ）処理、オート露出（ＡＥ）処理及びホワイトバランス（ＷＢ）処理等の画像処理を行う。画像処理部６は、撮像部５から受信した映像信号の所定の矩形領域を測距枠として設定して、この測距枠内の画像情報を基にＡＦ処理を行う。また、電子ズーム時には画角切り出し位置を設定することによって、任意の矩形領域を切り出す。さらに、切り出した矩形領域における画像はＥＶＦ表示、レビュー表示若しくは撮影サイズ等に合わさるように拡大縮小処理が施される。
【００１５】
圧縮処理部７は、画像処理部６において所定の処理が施された映像信号の圧縮処理を行う。圧縮処理部７は、動画像の圧縮処理を行う場合、フレーム内符号化と予測画像を用いるフレーム間符号化方式とを併用して圧縮処理を行う。記憶媒体８は、圧縮処理部７で圧縮された映像信号や、各種撮影条件の設定等をファイルデータとして保存する。記憶媒体８は、取り外し可能な記憶媒体であり、半導体メモリ、ハードディスク、磁気ディスク、光ディスク、光磁気ディスク等を有する。
【００１６】
図２は、図１のデジタルカメラ１００の背面図である。
【００１７】
図２において、デジタルカメラ１００は、その背面に、後述する図３のマルチ表示及び図４のシングル表示を表示する表示部３を左寄りに有し、操作ボタン４０１〜４０７で構成された操作部４を右側に有する。表示部３は、マルチ表示及びシングル表示の表示に加えて、スライドショーも表示する。
【００１８】
操作ボタン４０１〜４０７は、撮影記録された画像ファイルを表示部３に再生表示させる際や、画像ファイルのブラウジングを行う際に使用される。さらに、画像ファイルの再生時における所定の操作を行う際においても使用される。
【００１９】
操作ボタン４０３〜４０６の４つのボタンは、４方向の十字操作ボタンとして使用される。
【００２０】
以下、図３〜図４を用いて、デジタルカメラ１００の再生モードにおいて、撮影記録された画像ファイルのブラウジングを行う際の表示形態を説明する。
【００２１】
図３は、図２における表示部３に表示されるマルチ表示の一例を示す図である。
【００２２】
図３の表示部３には、撮影記録された画像ファイルのサムネイル画像３０１〜３０９が３×３のマス目上に配置される。さらに、後述する図５のアイコン表示処理に基づいて動画アイコン３１０〜３１２及び高フレームレート区間ありアイコン３１３が所定の画像ファイルのサムネイル画像に表示される。
【００２３】
ユーザは、画像ファイルのサムネイル画像３０５，３０７，３０９に動画アイコン３１０〜３１２が表示されていることから、その画像ファイルが動画ファイルであることを確認できる。さらに、サムネイル画像３０５に高フレームレート区間ありアイコン３１３が表示されていることから、その画像ファイルが高フレームレート区間を含む動画ファイルであることを確認できる。また、サムネイル画像３０１〜３０４，３０６，３０８に上記アイコンが表示されていないことから、その画像ファイルが静止画ファイルであることを確認できる。
【００２４】
そして、ユーザは、操作ボタン４０３〜４０６で、静止画ファイル及び動画ファイルのサムネイル画像３０１〜３０９から、再生したい静止画ファイル又は動画ファイルを選択することができる。さらに、ユーザは、操作ボタン４０７を押下することにより、選択したサムネイル画像をマルチ表示からシングル表示に表示させることができる（図４）。
【００２５】
図４は、図２における表示部３に表示されるシングル表示の一例を示す図である。
【００２６】
図４の表示部３には、図３における動画ファイルのサムネイル画像３０５のシングル表示が表示されており、動画再生のスタンバイ状態を示している。
【００２７】
ユーザは、動画アイコン３１０が表示されていることから動画ファイルであることを確認でき、さらに、高フレームレート区間ありアイコン３１３が表示されていることから高フレームレート区間を含む動画ファイルであることを確認できる。そして、ユーザは、操作ボタン４０７を押下することにより、動画ファイルを再生することができる（図６）。
【００２８】
図５は、図１のデジタルカメラ１００によって実行されるアイコン表示処理の手順を示すフローチャートである。なお、本処理は、デジタルカメラ１００におけるＣＰＵ１によって実行される。
【００２９】
図５において、まず、撮影記録された画像ファイルが動画ファイルであるか否かを画像ファイルの属性情報から判別し（ステップＳ５０１）、画像ファイルが動画ファイルであるときは、動画アイコンを画像ファイルのサムネイル画像に表示する（ステップＳ５０２）。次いで、画像ファイルに高フレームレート区間があるか否かを画像ファイルの属性情報から判別し（ステップＳ５０３）、画像ファイルに高フレームレート区間があるときは、高フレームレート区間ありアイコンを画像ファイルのサムネイル画像に表示して（ステップＳ５０４）、本処理を終了する。
【００３０】
ステップＳ５０１の判別の結果、画像ファイルが動画ファイルでないときは、動画アイコン及び高フレームレート区間ありアイコンを表示することなく、本処理を終了する。
【００３１】
ステップＳ５０３の判別の結果、画像ファイルに高フレームレート区間がないときは、高フレームレート区間ありアイコンを表示することなく、本処理を終了する。
【００３２】
図５のアイコン表示処理によれば、撮影記録された画像ファイルが、動画ファイルであるときは（ステップＳ５０１でＹＥＳ）、動画アイコンを画像ファイルのサムネイル画像に表示する（ステップＳ５０２）。さらに、画像ファイルに高フレームレート区間があるときは（ステップＳ５０３でＹＥＳ）、高フレームレート区間ありアイコンを画像ファイルのサムネイル画像に表示する（ステップＳ５０４）。これにより、ユーザが、フレームレートを切り替えて記録された動画ファイルに関して、直感的な操作を行うことができる。
【００３３】
以下、図６〜図９を用いて、デジタルカメラ１００の再生モードにおいて、撮影記録された高フレームレート区間を含む動画ファイルの再生表示形態を説明する。
【００３４】
図６は、図２における表示部３に表示される動画再生状態の一例を示す図であり、（Ａ）は、高フレームレート区間以外の再生状態を示し、（Ｂ）は、高フレームレート区間の再生状態を示す。
【００３５】
図６（Ｂ）に示すように、高フレームレート区間の再生が行われる際に、高フレームレート区間ありアイコン３１３を点滅させることによって、ユーザに、高フレームレート区間の再生が行われていることを通知することができる。
【００３６】
以下、図７〜図８を用いて、高フレームレート区間の再生方法に係る再生表示形態を説明する。
【００３７】
図７〜図８は、図２における表示部３に表示される動画再生状態の一例を示す図である。
【００３８】
まず、図７は、高フレームレート区間を撮影時と同じ時間経過で再生する高フレームレート再生モードを示し、文字３１４が表示される。一方、図８は、高フレームレート区間を撮影時の時間経過と比較してスローに再生するスロー再生モードを示し、文字３１５が表示される。
【００３９】
ユーザは、文字３１４〜３１５によって、高フレームレート区間の再生モードを確認することができる。
【００４０】
図９は、図２における表示部３に表示される動画再生状態の一例を示す図であり、スロー再生モードが設定されている。
【００４１】
図９では、表示部３に動画ファイル全体のシーケンスを示すシーケンスバー３２０を表示させる。このシーケンスバー３２０の左端は動画の開始時、右端は動画の終了時を示し、現時点３２１及び高フレームレート区間３２２，３２３が表示される。
【００４２】
本実施の形態では、シーケンスバー３２０を動画再生時に表示してもよく、停止時に表示してもよい。さらには、図４の動画再生のスタンバイ状態において表示してもよい。
【００４３】
以下、図１０〜図１１を用いて、デジタルカメラ１００の再生モードの各モード設定及びモード間遷移の説明を行う。
【００４４】
前述した図４の動画再生のスタンバイ状態において、ユーザによって操作ボタン４０１が押下されると再生モードが、全動画シーケンス再生モード１００１、高フレームレート区間のみ再生モード１００２、高フレームレート区間繰り返し再生モード１００３と巡回的に切り替わる（図１０）。全動画シーケンス再生モード１００１は、全動画のシーケンスを再生するモードである。高フレームレート区間のみ再生モード１００２は、高フレームレート区間のみを再生するモードである。高フレームレート区間繰り返し再生モード１００３は、高フレームレート区間を繰り返し再生するモードである。
【００４５】
さらに、ユーザによって操作ボタン４０２が押下されると高フレームレート区間の区間再生モードが、高フレームレート再生モード１１０１、スロー再生モード１１０２と巡回的に切り替わる（図１１）。高フレームレート再生モード１１０１は、高フレームレート区間を撮影時と同じ時間経過で再生するモードである。スロー再生モード１１０２は、高フレームレート区間を撮影時の時間経過と比較してスローに再生するモードである。
【００４６】
以下、図４、図６〜図９を用いて、デジタルカメラ１００の再生モードにおいて、撮影記録された高フレームレート区間を含む動画ファイルの再生表示の操作方法を説明する。
【００４７】
まず、図４の動画再生のスタンバイ状態において、ユーザによって操作ボタン４０３が押下されると、直前の高フレームレート区間の先頭に頭出しを行う。また、操作ボタン４０５が押下されると、直後の高フレームレート区間の先頭に頭出しを行う。また、操作ボタン４０４が押下されると、現在表示中の画像フレームの直前の画像フレームを表示し、操作ボタン４０４が押下され続けると、巻き戻し表示を行う。また、操作ボタン４０６が押下されると、現在表示中の画像フレームの直後の画像フレームを表示し、操作ボタン４０６が押下され続けると、早送り表示を行う。また、操作ボタン４０７が押下されると、現在表示中の画像フレームから動画再生を開始する（図６〜図９）。
【００４８】
次に、図６〜図９の動画再生状態において、ユーザによって操作ボタン４０３が押下されると、直前の高フレームレート区間の先頭に頭出しを行い、この位置から動画再生を開始する。また、操作ボタン４０５が押下されると、直後の高フレームレート区間の先頭に頭出しを行い、この位置から動画再生を開始する。また、操作ボタン４０４が押下されると、巻き戻し再生を行う。また、操作ボタン４０６が押下されると、早送り再生を行う。また、操作ボタン４０７が押下されると、動画再生を停止して、動画再生のスタンバイ状態となる（図４）。
【００４９】
これにより、ユーザは、フレームレートを切り替えて記録された動画ファイルに関して、直感的な操作で簡潔に所望の動画再生を行うことができる。
【００５０】
本実施の形態では、図４の動画再生のスタンバイ状態等において、図１２に示すメニュー画面を表示部３に表示させ、ユーザにデジタルカメラ１００における各種初期設定を選択させることもできる。図１２では、高フレームレート区間の区間再生モードが高フレームレート再生モードに設定されている。
【００５１】
図１３は、図１のデジタルカメラ１００によって実行されるスライドショー表示処理の手順を示すフローチャートである。
【００５２】
本処理は、デジタルカメラ１００におけるＣＰＵ１によって実行され、スライドショー表示は表示部３に表示される。
【００５３】
図１３において、まず、撮影記録された画像ファイルが動画ファイルであるか否かを画像ファイルの属性情報から判別する（ステップＳ１３０１）。ステップＳ１３０１の判別の結果、画像ファイルが動画ファイルでないときは、その画像ファイルである静止画ファイルを一定時間表示して（ステップＳ１３０２）、ステップＳ１３０６の処理へ進む。一方、画像ファイルが動画ファイルであるときは、画像ファイルに高フレームレート区間があるか否かを画像ファイルの属性情報から判別する（ステップＳ１３０３）。
【００５４】
ステップＳ１３０３の判別の結果、画像ファイルに高フレームレート区間がないときは、動画の先頭若しくは先頭から一定時間後の位置から一定時間再生して（ステップＳ１３０４）、ステップＳ１３０６の処理へ進む。一方、画像ファイルに高フレームレート区間があるときは、高フレームレート区間を再生して（ステップＳ１３０５）、ステップＳ１３０６の処理へ進む。
【００５５】
ステップＳ１３０６では、ステップＳ１３０２，Ｓ１３０４，Ｓ１３０６で表示又は再生した画像ファイルがスライドショー表示の最後の画像ファイルであるか否かを判別し（ステップＳ１３０６）、最後の画像ファイルでないときは、次の画像ファイルに対して、ステップＳ１３０１以降の処理を実行する。一方、最後の画像ファイルであるときは、本処理を終了する。
【００５６】
また、本実施の形態は、内部に表示部を有することなく、外部の表示装置に表示を行う構成でもよい。
【００５７】
（他の実施形態）
前述した各実施の形態は、前述した各実施の形態を実現するためのプログラムを記憶したコンピュータ読み取り可能な記憶媒体を、システム或いは装置に供給し、そのシステム或いは装置のコンピュータ（またはＣＰＵやＭＰＵ等）が当該記憶媒体に格納された当該プログラムを読み出し実行することによっても達成される。
【００５８】
前述した各実施の形態を実現するためのプログラムを供給するためのコンピュータ読み取り可能な記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。前述した各実施の形態を実現するためのプログラムは、ネットワークを介してダウンロードするようにしてもよい。
【００５９】
また、前述した各実施の形態を実現するためのプログラムは、その一部をコンピュータ上で稼動しているＯＳ（オペレーティングシステム）等を用いて構成してもよい。
【００６０】
さらに、前述した各実施の形態を実現するためのプログラムは、その一部をコンピュータに挿入された機能拡張ボードやコンピュータに接続された機能拡張ユニットで実行するように構成してもよい。
【符号の説明】
【００６１】
１  ＣＰＵ
３  表示部
４  操作部
１００  デジタルカメラ
３１０，３１１，３１２  動画アイコン
３１３  高フレームレート区間ありアイコン
【図１】
2011066938.tif 000003
【図２】
2011066938.tif 000004
【図３】
2011066938.tif 000005
【図４】
2011066938.tif 000006
【図５】
2011066938.tif 000007
【図６】
2011066938.tif 000008
【図７】
2011066938.tif 000009
【図８】
2011066938.tif 000010
【図９】
2011066938.tif 000011
【図１０】
2011066938.tif 000012
【図１１】
2011066938.tif 000013
【図１２】
2011066938.tif 000014
【図１３】
2011066938.tif 000015
【手続補正書】
【提出日】平成23年1月11日(2011.1.11)
【手続補正２】
【補正対象書類名】明細書
【補正対象項目名】０００１
【補正方法】変更
【補正の内容】
【０００１】
本発明は、撮影中にフレームレートを切り替えて記録された動画ファイルの再生を行う画像再生装置に関する。
【手続補正３】
【補正対象書類名】明細書
【補正対象項目名】０００５
【補正方法】変更
【補正の内容】
【０００５】
そこで、本発明は、ユーザが、撮影中にフレームレートを切り替えて記録された動画ファイルに関して、直感的な操作で簡潔に所望の動画再生を行うようにすることを目的とする。
【手続補正４】
【補正対象書類名】明細書
【補正対象項目名】０００６
【補正方法】変更
【補正の内容】
【０００６】
本発明に係る画像再生装置は、画像ファイルを再生する画像再生装置であって、前記画像ファイルが高フレームレートの区間を含む所定の動画ファイルであるか否かを判別する判別手段と、前記画像ファイルが前記所定の動画ファイルである場合、前記所定の動画ファイルの前記高フレームレートの区間よりも低いフレームレートの区間が再生されないようにし、前記所定の動画ファイルの前記高フレームレートの区間が再生されるように制御する制御手段とを有することを特徴とする。
また、本発明に係る画像再生装置は、動画ファイルのスライドショー表示を行う画像再生装置であって、前記動画ファイルが高フレームレートの区間を含むか否かを判別する判別手段と、前記動画ファイルが、前記高フレームレートの区間を含む場合、前記画像再生装置が、前記高フレームレートの区間よりも低いフレームレートの区間のスライドショー表示を行うことなく、前記動画ファイルに含まれる前記高フレームレートの区間のスライドショー表示を行う状態になるように制御する制御手段とを有することを特徴とする。
【手続補正５】
【補正対象書類名】特許請求の範囲
【補正対象項目名】全文
【補正方法】変更
【補正の内容】
【特許請求の範囲】
【請求項１】
画像ファイルを再生する画像再生装置であって、
前記画像ファイルが高フレームレートの区間を含む所定の動画ファイルであるか否かを判別する判別手段と、
前記画像ファイルが前記所定の動画ファイルである場合、前記所定の動画ファイルの前記高フレームレートの区間よりも低いフレームレートの区間が再生されないようにし、前記所定の動画ファイルの前記高フレームレートの区間が再生されるように制御する制御手段とを有することを特徴とする画像再生装置。
【請求項２】
前記判別手段は、前記画像ファイルの属性情報から前記画像ファイルが前記所定の動画ファイルであるか否かを判別することを特徴とする請求項１に記載の画像再生装置。
【請求項３】
前記画像ファイルが動画ファイルでない場合、前記制御手段は、前記画像ファイルに対応する画像が表示装置に所定の時間表示されるように制御することを特徴とする請求項１または２に記載の画像再生装置。
【請求項４】
前記画像ファイルが前記所定の動画ファイルと異なる動画ファイルである場合、前記制御手段は、前記所定の動画ファイルと異なる動画ファイルが先頭から再生されるように制御することを特徴とする請求項１から３のいずれか１項に記載の画像再生装置。
【請求項５】
前記画像ファイルが前記所定の動画ファイルと異なる動画ファイルである場合、前記制御手段は、前記所定の動画ファイルと異なる動画ファイルが先頭から一定時間後の位置から再生されるように制御することを特徴とする請求項１から３のいずれか１項に記載の画像再生装置。
【請求項６】
動画ファイルのスライドショー表示を行う画像再生装置であって、
前記動画ファイルが高フレームレートの区間を含むか否かを判別する判別手段と、
前記動画ファイルが、前記高フレームレートの区間を含む場合、前記画像再生装置が、前記高フレームレートの区間よりも低いフレームレートの区間のスライドショー表示を行うことなく、前記動画ファイルに含まれる前記高フレームレートの区間のスライドショー表示を行う状態になるように制御する制御手段とを有することを特徴とする画像再生装置。
【請求項７】
前記判別手段は、前記動画ファイルの属性情報から前記動画ファイルが前記高フレームレートの区間を含むか否かを判別することを特徴とする請求項６に記載の画像再生装置。
【請求項８】
前記動画ファイルが前記高フレームレートの区間を含まない場合、前記制御手段は、前記画像再生装置が、前記動画ファイルの先頭からスライドショー表示を行う状態になるように制御することを特徴とする請求項６または７に記載の画像再生装置。
【請求項９】
前記動画ファイルが前記高フレームレートの区間を含まない場合、前記制御手段は、前記画像再生装置が、前記動画ファイルの先頭から一定時間後の位置からスライドショー表示を行う状態になるように制御することを特徴とする請求項６または７に記載の画像再生装置。